(57)【要約】【課題】組立式板式家具を構成する縦板(２、３)と横板(１、４)が互いに垂直して組立てられること。【解決手段】前記の縦板、横板がプラスチック複合板が設けられて、前記の複合板の縁に近く位置で別々補強枠(２２)が埋設されて、縦板(２、３)の上縁或は下縁及び横板(１、４)の側縁が斜側方向に補強枠(２２)を通って互いに連結されて、互いに連結される二つの補強枠(２２)の間でジャムによって或はロッキングによって前記の縦板(２、３)と横板(１、４)が斜側方向に固定して連結される。【選択図】図１
2010518922.tif 000002
【特許請求の範囲】
【請求項１】
互いに垂直して組立てられる縦板と横板を有す組立式板式家具において、前記の縦板及び横板がプラスチック複合板に設けされて、その縁に近く位置で補強枠が埋設されて、縦板と横板との間にその補強枠で互いに連結されて、互いに連結される二つの補強枠の間で斜側方向にジャムによって或はロッキングによって前記の縦板と横板が固定して連結されることを特徴とする組立式板式家具。
【請求項２】
前記の補強枠の断面が等辺三角に現れて、その等辺線が縦板と横板との間に連結される面に設けされて、板本体部と一斜面に現れて、二つの補強枠の連結面が互いに平行されて、ねじで固定して連結されて或は両接触の斜面に別々設けられて互いに配合する槽とほぞによって縦板と横板の連結を実現することを特徴とする請求項１に記載の組立式板式家具。
【請求項３】
前記の補強枠の連結面が板本体部の垂直側面と同一の斜面に現れて、縦板及び横板の補強枠の連結斜面が互いに平行して接触されて、又はねじで固定して連結されて或は槽とほぞとの配合によって連結されることを特徴とする請求項１に記載の組立式板式家具。
【請求項４】
前記の縦板或は横板が連結される側方向に近く縁の位置にある両端部に皆補強枠が設けられることを特徴とする請求項２または請求項３に記載の組立式板式家具。
【請求項５】
前記の縦板及び横板がプラスチック複合板に設けられて、当プラスチック複合板がプラスチック表板とプラスチック底板に設けされて、二者の間に充填料を挟んで設けて、前記の補強枠が金属件に設けされて、当充填料がハニカムシート、発泡体シート、或は射出成型品に設けされることを特徴とする請求項１または請求項２または請求項３に記載の組立式板式家具。
【請求項６】
前記のプラスチック板にはハニカムシート或は発泡体シートの周りに支持枠が設けられて、補強枠と支持枠が連結されて或は一体金属件に設けられることを特徴とする請求項５に記載の組立式板式家具。
【請求項７】
前記の補強枠には管継ぎ手で又は型材で構成される閉鎖枠或はＵ形枠及びプラスチック複合板の角部に埋められる補強件を有して、角部に埋められる補強件が金物或は射出成型品に設けられることを特徴とする請求項５に記載の組立式板式家具。
【請求項８】
横板の側縁と縦板の下縁或は上縁とが４５度の角で連結されることを特徴とする請求項１または請求項２または請求項３に記載の組立式板式家具。
【請求項９】
互いに垂直して組立てられる縦板と横板を有す組立式板式家具において、前記の縦板及び横板がプラスチック複合板に設けされて、その縁に近く位置で補強枠が設けされて、それに前記の側縁と縦板から独立してその補強枠とねじ合って連結される連接件も有して、縦板の下縁或は上縁及び横板の側縁が斜側部でその連接件によって互いに連結されて、互いに連結される二つの連接部がジャムによって或はロッキングによって前記の縦板、横板が固定して連結されることを特徴とする組立式板式家具。
【請求項１０】
前記の連接件が金物、押出型材或はダイカスト鋳物に設けされることを特徴とする請求項９に記載の組立式板式家具。
【請求項１１】
前記の連接件の連接面が板本体部に対応する一斜面に設けされて、二つの連接件が別々の斜面によって互い平行に接触して連結されて、両接触面の斜面に別々互いに配合される槽及びほぞが設けられることを特徴とする請求項９に記載の組立式板式家具。
【請求項１２】
前記の縦板、横板がプラスチック複合板が設けられて、当プラスチック複合板がプラスチック表板とプラスチック底板に設けされて、二者の間に充填料を挟んで設けて、前記の補強枠が金属件に設けされて、当充填料がハニカムシート、発泡体シート、或は射出成型品に設けされることを特徴とする請求項９または請求項１０または請求項１１に記載の組立式板式家具。
【請求項１３】
前記の補強枠には管継ぎ手で或は型材で構成される閉鎖枠或はＵ形枠を、又はプラスチック複合板の角部に埋められる補強件を有して、金物或は射出成型品に設けられることを特徴とする請求項１２に記載の組立式板式家具。
【請求項１４】
横板の側縁と縦板の下縁或は上縁とが４５度の角で連結されることを特徴とする請求項９に記載の組立式板式家具。
【発明の詳細な説明】
【技術分野】
【０００１】
本発明は、家具の構造に関し、即ち、複数の組立式が具備される組立式板式家具である。
【背景技術】
【０００２】
書棚、物を置く棚、たんす、テレビ戸棚、物の蓄え戸棚等板式家具は人々の日常生活によく見られて、その構造には色々な様子がある。これらの板式家具は通常に固定式家具であり、即ち形状と構造が先に設計され、使用者に対して自分の必要で好きな構造形式に改装できない。その中のある家具の局部が必要によって調整できれば、例えばたんすの棚も増えて減ることが出来るが、書棚の棚も必要によって組立てられるが、これらの調整はただ一部であって、使用者は完全に自由に改装できない。それにこの一部改装は棚を簡単に置くことであり、例えばたんすの棚を定位件の上に置き、部品の間に完全に連接しないから、通常にただ家具の内部構造としている。
【発明の概要】
【発明が解決しようとする課題】
【０００３】
そこで、今の市場で組立式コンピューター机が出て、運送時複数の板がはずされ、使用時再び複数の板を組立して、板と板との間に止め部品で締めて、互いに連接される二つの板との間に常に丁字形で連接され、第一の板の側面が第二の板の端面に接触して連接されて、第一の板にその両側面を通す穴を設けて、第二の板の端面と端面に近く側面とのまにＬ形穴を設けて、止め部品には座部とねじを有し、座部が第二の板側面からＬ形穴に放置されて、ねじが第一の板を通して第二の板の端面からＬ形穴に入れって座部の中で締められて、二つの板が丁字形の固定で連接される。二つの板の接触面が第一の板の側面と第二の板の端面に設けられるから、第二の板が第一の板に対して容易に動揺されて二者の連接を破壊して、厳重な時に板を破裂する。
【０００４】
本発明の目的は、使用者自身で必要によって組立てられて、構造を定常する組立式板式家具を提供する。
【課題を解決するための手段】
【０００５】
本発明の課題を解決するための第一手段には、組立式板式家具は互いに垂直して組立てられる縦板と横板を有して、前記の縦板及び横板がプラスチック複合板が設けされて、その縁に近く位置で補強枠が設けされて、縦板と横板との間にその補強枠で互いに連結されて、互いに連結される二つの補強枠の間で斜側方向にジャムによって或はロッキングによって前記の縦板、横板が固定して連結される。
【０００６】
前記の補強枠の断面が等辺三角に現れて、その等辺線が縦板と横板との間に連結される面に設けられて、板本体部と一斜面に現れて、二つの補強枠の連結面が互いに平行されて、ねじで固定して連結されて或は両接触の斜面に別々設けられて互いに配合する槽とほぞによって連結されることを実現する。又は、前記の補強枠の連結面が板本体部との間に一つの斜面に現れて、両補強枠が自身の斜面によって互いに平行に接触して連結されて、それにねじで固定して連結されて或は槽とほぞが連結されて、斜側で縦板と横板との連結を実現する。
【０００７】
前記の縦板或は横板が連結される側方向に近く縁の位置にある両端部に皆補強枠が設けられる。
【０００８】
更に、前記の縦板及び横板がプラスチック複合板に設けられて、当プラスチック複合板がプラスチック表板とプラスチック底板に設けられて、二者の間に充填料を挟んで設けて、前記の補強枠が金属件に設けされて、当充填料がハニカムシート、発泡体シート、或は射出成型品に設けされる。
【０００９】
前記の射出成型品がプラスチック表板とプラスチック底板との間に貼付けで或は溶接で一緒に連結されて、当プラスチック表板及びプラスチック底板が直接に押出成型されて或は押出してから吸込み成型されて一定形状の簡単な構造を有して、当射出成型品が直接に射出成型されてそれにプラスチック表板及びプラスチック底板の形状にあう一つ或は複数の単体構造が成型される。
【００１０】
前記のプラスチック板にはハニカムシート或は発泡体シートの周りに支持枠が設けられて、補強枠と支持枠が連結されて或は一体金属件に設けられる。
【００１１】
前記の補強枠には管継ぎ手で又は型材で構成される閉鎖枠或はＵ形枠を、及びプラスチック複合板の角部に埋められる補強件を有して、角部に埋められる前記の補強件が金物或は射出成型品に設けられる。
【００１２】
前記の補強枠も単独な金物、管継ぎ手或は型材に設けられて、又は管継ぎ手或は型材から構成するＩＩ形枠或はＨ形枠に設けられる。
【００１３】
前記の縦板及び横板の表面に印刷方式で縞模様或は図案が印刷されて、又は転写フィルムで縞模様或は図案が転写されて、縞模様或は図案の上に熱硬化性或は光硬化性な艶油が塗装される。
【００１４】
前記の縦板及び横板の表面に縞模様或は図案を有すフィルムが複合される。
【００１５】
前記の横板の側縁と縦板の下縁或は上縁とが４５度の角で連結される。
【００１６】
本発明の課題を解決するための第二手段には、組立式板式家具は互いに垂直して組立てられる縦板と横板を有して、前記の縦板及び横板がプラスチック複合板に設けられて、その縁に近く位置で補強枠が設けされて、それに前記の側縁と縦板から独立して又はその補強枠にねじ合って連結される連接件も有して、縦板の下縁或は上縁及び横板の側縁が斜側部でその連接件によって互いに連結されて、互いに連結される二つの連接部がジャムによって或はロッキングによって前記の縦板及び横板が固定して連結される。
【００１７】
前記の連接件が金物、押出型材或はダイカスト鋳物に設けされる。
【００１８】
前記の連接件の連接面が板本体部に対応する一斜面に設けられて、二つの連接件が別々の斜面によって互い平行に接触して連結されて、両接触面の斜面に別々互いに配合される槽及びほぞが設けられる。
【００１９】
更に、前記の縦板及び横板がプラスチック複合板が設けられて、当プラスチック複合板がプラスチック表板とプラスチック底板に設けされて、二者の間に充填料を挟んで設けて、前記の補強枠が金属件に設けされて、当充填料がハニカムシート、発泡体シート、或は射出成型品に設けされる。
【００２０】
前記の射出成型品がプラスチック表板とプラスチック底板との間に貼付けで或は溶接で一緒に連結されて、当プラスチック表板及びプラスチック底板が直接に押出成型されて或は押出してから吸込み成型されて一定形状の簡単な構造を有して、当射出成型品が直接に射出成型されてそれにプラスチック表板及びプラスチック底板の形状にあう一つ或は複数の単体構造が成型される。
【００２１】
前記の補強枠には管継ぎ手で又は型材で構成される閉鎖枠或はＵ形枠を、或はプラスチック複合板の角部に埋められる補強件を有して、角部に埋められる前記の補強件が金物或は射出成型品に設けられる。
【００２２】
前記の補強枠も単独な金物、管継ぎ手或は型材に設けられて、又は管継ぎ手或は型材から構成するＩＩ形枠或はＨ形枠に設けられる。
【００２３】
前記の縦板及び横板の表面に印刷方式で縞模様或は図案が印刷されて、又は転写フィルムで縞模様或は図案が転写されて、縞模様或は図案の上に熱硬化性或は光硬化性な艶油が塗装されて、それに、その両側面に違う色の縞模様或は図案が持てる。
【００２４】
前記の縦板及び横板の表面に縞模様或は図案を有すフィルムが複合されて、それに、その両側面に違う色の縞模様或は図案が持てる。
【００２５】
前記の横板の側縁と縦板の下縁或は上縁とが４５度の角で連結される。
【発明の効果】
【００２６】
以上にしてなる本発明の構造は、現有の技術に比べると、本発明の優れた所が以下のように具備されて、第一には、メーカーに対して同じな仕様或は違う仕様の縦板、横板を提供して、ユーザに自分の必要によって違う構造と用途の板式家具を組立てらせて、家具のＤＩＹを実現して、ユーザーの主観的能力性を十分に発揮させて、第二には、互いに連結する縦板、横板の補強枠或は連接件の間に斜面を接触することによって、Ｌ形、Ｔ形及び十字形の構造が構成される時、各板が相互の斜面を配合することによって閉じ占めて、構造を硬くして、第三には、各板がプラスチック複合板或はプラスチック板に採用されるから、環境を守り、完全に回収でき、重さが軽く、便利に組立て、生産工程の自動化が容易し、複合板の外形が多様に変え、表面の図案が豊かであるという特徴をもっている。
【発明を実施するための形態】
【００２７】
本発明の実施の第一形態には、図１のように、当組立式板式家具が複数の横板１、４と縦板２、３で組立てられて、横板１、４と縦板２、３の数量及び仕様が必要によって決められる。図１に示したように、横板１、４と縦板２、３が十字形に組立てられて、Ｔ字形もＬ字形も軽く組立てられて、板式家具が全体的に多様な造形に作られて、それに、板式家具の後ろ側で同じな方式によって背板が組立てられて、前側にドアが設けられて、更に完全的な家具に形成される。
【００２８】
図４のように、前記の縦板２がプラスチック複合板に設けられて、その中に縁に近く位置で補強枠２２を埋めて設けて、当プラスチック複合板にはプラスチック表板とプラスチック底板が具備されて、二者の間に充填料を挟んで設けて、前記の補強枠２２が金属件に設けられて、当充填料がハニカムシート、発泡体シート、或は射出成型品に設けられる。当充填料が射出成型品に設けられると、射出成型品がプラスチック表板とプラスチック底板との間に貼付けで或は溶接で一緒に連結されて、当プラスチック表板及びプラスチック底板が直接に押出成型されて或は押出してから吸込み成型されて一定形状の簡単な構造を有して、当射出成型品が直接に射出成型されてそれにプラスチック表板及びプラスチック底板の形状にあう一つ或は複数の単体構造に成型される。前記の補強枠２２には管継ぎ手で又は型材で構成する閉鎖枠或はＵ形枠を、或はプラスチック複合板の角部に埋められる補強件を有して、角部に埋められる前記の補強件が金物或は射出成型品に設けられて、前記の補強枠２２も単独な金物、管継ぎ手或は型材に設けられて、又は管継ぎ手或は型材を構成するＩＩ形枠或はＨ形枠に設けられる。
【００２９】
図２、図３と図５のように、当補強枠２２の断面には板の側辺を底辺とする一等辺三角が設けられて、その等辺線が横板、縦板の連接面に設けられて、板本体部と一斜面２１に現れて、当斜面２１の構造が縦板２の側端部に現れてきて、即ち、プラスチック複合板の外層が補強枠２２の構造に適当されて、斜面にも形成される。横板４の相応構造が縦板２と同じな構造に設けられる。横板４、縦板２の両補強枠が自身の斜面４１、２１によって互いに平行に接触して連結されて、それにねじ２０１で縦板２の側面から挿し込んで締めて、斜面４１、２１を通して、縦板２、横板４を一緒に締めている。図３から図５までのように、縦板２の側面にねじ２０１のねじ頭に合う槽２０が設けられる。
【００３０】
同様的に、縦板２と横板１の間に、縦板３と横板１の間に、横板４と縦板３の間にある連接面も前記に述べたようである。
【００３１】
それから、縦板２、３と横板１、４の表面に印刷方式で縞模様或は図案が印刷されて、又は転写フィルムで縞模様或は図案が転写されて、縞模様或は図案の上に熱硬化性或は光硬化性な艶油が塗装される。当縦板２、３と横板１、４の表面にも縞模様或は図案を有すフィルムが複合されて、その両側面に違う色の縞模様或は図案が持てる。
【００３２】
本発明の実施の第二形態には、その構造と本発明の実施の第一形態との主な区別は、縦板２、３と横板１、４との間にある連接構造が違っている。図６のように、その縦板２、３と横板１、４が皆プラスチック複合板に設けられて、プラスチック複合板にプラスチック表板とプラスチック底板を有し、二者の間に充填料を挟んで設けて、それに補強枠が埋設されて、当充填料がハニカムシート、発泡体シート、或は射出成型品に設けられる。
【００３３】
本実施の第二形態の中、その補強枠には管継ぎ手で或は型材で構成される閉鎖枠或はＵ形枠を、又はプラスチック複合板の角部に埋められる補強件を有し、角部に埋められる前記の補強件が金物或は射出成型品に設けられる。当補強枠も単独な金物、管継ぎ手或は型材に設けられて、又は管継ぎ手或は型材を構成するＩＩ形枠或はＨ形枠に設けられる。
【００３４】
本実施の第二形態の中、当プラスチック複合板の充填料が射出成型品に設けされると、射出成型品がプラスチック表板とプラスチック底板との間に貼付けで或は溶接で一緒に連結されて、当プラスチック表板及びプラスチック底板が直接に押出成型されて或は押出してから吸込み成型されて一定形状の簡単な構造を有し、当射出成型品が直接に射出成型されてそれにプラスチック表板及びプラスチック底板の形状にあう単数或は複数の単体構造が成型される。
【００３５】
図６と図９のように、縦板２、３と横板１、４との互いに連接される辺内の補強枠２１、３１、１１、４１が別々連接件２２、３２、４２、１２とねじで締められて、各連接件２２、３２、４２、１２の両側が別々互いに接触される斜面に構成される。連接件１２、２２の互いの接触斜面に別々双方配合するありほぞ１２１とありみぞ２２０が設けられて、連接件２２、４２の互いの接触斜面に別々双方配合するありほぞ２２１とありみぞ４２０が設けられて、連接件３２、１２の互いの接触斜面に別々双方配合するありほぞ３２１とありみぞ１２０が設けられて、連接件４２、３２の間の連接がこれと同じである。以上の連接構造によって、横板２、３及びそれと組立てる縦板１、４が一つの十字形構造に構成されて、横板１に対して、それが二つの斜面によって別々縦板４、２の対応斜面と連結されて、斜面配合によって締めて、その安定性を保証して動揺を防ぐことができる。同じのように、その他の各板も斜面配合によって安定な固定が得られる。
【００３６】
本発明の実施の第三形態には、図７のように、その構造と本発明の実施の第二形態によく似ていて、区別は各斜面の間のほぞと槽との配合構造が違っている。本実施の第三形態にはＴ字形のほぞと槽との配合構造によって本発明の実施の第四形態にあるありみぞとありほぞとの配合構造を替えている。槽とほぞの対応の記号は図６の中に１２１、２２０、２２１、４２０、３２１、１２０を有する。
【００３７】
本発明の実施の第四形態には、図８のように、その構造と本発明の実施の第五形態によく似ていて、区別は各斜面で皆槽１２０１、１２０２、２２０１、２２０２、４２０１、３２０２が設けられて、槽１２０２と２２０１、２２０２と４２０１、３２０２と１２０１が一対として別々にほぞ２２１、４２１、１２１で連結されて、縦板３と横板４との間に同じように連結される。
【００３８】
図１０、図１１のように、本発明は縦板及び横板とも多種類の構造及び用途を持つ色んな家具が組立てられる。
【００３９】
以上に述べたのはただ本発明の幾つかの具体的な実施の形態である。しかし、本発明の設計構想はこれだけに限らなくて、この構想に基いて本発明を非実質性に直しならば、皆本発明の保護範囲に犯すはずである。
【図面の簡単な説明】
【００４０】
【図１】本発明の第一実施形態にかかる立体構造を示す図である。
【図２】本発明の第一実施形態にかかる隣の板の間の立体組立を示す図である。
【図３】図２中のＡ部の局部拡大を示す図である。
【図４】本発明の縦板にかかる前面構造を示す図である。
【図５】本発明の縦板にかかる側面構造を示す図である。
【図６】本発明の第二実施形態にかかる隣の板の間の立体組立を示す図である。
【図７】本発明の第三実施形態にかかる隣の板の間の立体組立を示す図である。
【図８】本発明の第四実施形態にかかる隣の板の間の立体組立を示す図である。
【図９】本発明の第二実施形態にかかる連接件の立体構造を示す図である。
【図１０】本発明の他の二種類構造を示す図である。
【図１１】本発明の他の二種類構造を示す図である。
【符号の説明】
【００４１】
１  横板
２  縦板
３  縦板
４  横板
２２  補強枠
【図１】
2010518922.tif 000003
【図２】
2010518922.tif 000004
【図３】
2010518922.tif 000005
【図４】
2010518922.tif 000006
【図５】
2010518922.tif 000007
【図６】
2010518922.tif 000008
【図７】
2010518922.tif 000009
【図８】
2010518922.tif 000010
【図９】
2010518922.tif 000011
【図１０】
2010518922.tif 000012
【図１１】
2010518922.tif 000013
【国際調査報告】
2010518922.tif 000014
2010518922.tif 000015
2010518922.tif 000016
2010518922.tif 000017
2010518922.tif 000018
2010518922.tif 000019